(57)【要約】【課題】所定の表示形式以外の映像信号が入力端子に入力された場合に、利用者が容易に画面を調整することが可能な表示装置を提供する。【解決手段】液晶テレビは、映像信号が入力されるＶＧＡ端子と、ＶＧＡ端子に入力される映像信号に基づいて映像を表示する表示部１５とを備えている。そして、液晶テレビは、所定の表示形式の映像信号がＶＧＡ端子に入力された場合に、画面を自動調整するように構成され、所定の表示形式以外の映像信号がＶＧＡ端子に入力された場合に、利用者に画面を調整させるためのＰＣ入力設定画面Ｗ３を表示部１５に表示させる。【選択図】図４
2010186044.tif 000002
【特許請求の範囲】
【請求項１】
映像信号が入力される入力端子と、
前記入力端子に入力される映像信号に基づいて映像を表示する表示部と、を備えた表示装置において、
所定の表示形式の映像信号が前記入力端子に入力された場合に、画面を自動調整するように構成され、
所定の表示形式以外の映像信号が前記入力端子に入力された場合に、利用者に画面を調整させるための設定画面を前記表示部に表示させる、ことを特徴とする表示装置。
【請求項２】
請求項１に記載の表示装置において、
所定の表示形式以外の映像信号が前記入力端子に入力された場合に、利用者が画面を手動調整することが必要である旨を示す警告画面を前記表示部に表示させる、ことを特徴とする表示装置。
【発明の詳細な説明】
【技術分野】
【０００１】
本発明は、映像信号が入力される入力端子を備えた表示装置に関する。
【背景技術】
【０００２】
従来、映像信号が入力される入力端子と、入力端子に入力される映像信号に基づいて映像を表示する表示部とを備えた表示装置が知られている。この入力端子には、パーソナルコンピュータ（以下、「ＰＣ」という）などが接続されるので、複数種類の表示形式（解像度、水平周波数、および垂直周波数）の映像信号が入力され得る。そこで、表示装置は、所定の表示形式の映像信号が入力端子に入力された場合に、画面の位置やちらつき等を自動調整するように構成されている。
【０００３】
また、従来では、テレビジョンをモニタとして用いるコンピュータも知られている（たとえば、特許文献１参照）。このコンピュータは、第１ＯＳ（Operating
System）をインストールする前に、第２ＯＳが起動され、解像度の設定を行うことが可能なように構成されている。これにより、第１ＯＳのインストール時に、インストール画面をテレビジョンに適切に表示させることが可能である。
【先行技術文献】
【特許文献】
【０００４】
【特許文献１】特開２００８−１７１２８３号公報
【発明の概要】
【発明が解決しようとする課題】
【０００５】
ここで、従来の表示装置では、ＰＣから所定の表示形式以外の映像信号が出力された場合に、画面が表示部に適切に表示されないことがある。具体的には、画面が表示部の表示領域の端部近傍に位置することにより、画面の一部が表示されなかったり、画面にちらつきが発生したりする。この場合には、利用者が、画面を調整するための設定画面を表示部に表示させ、画面を手動調整する必要がある。
【０００６】
しかしながら、従来の表示装置では、利用者が画面を調整するための設定画面を表示部に表示させる必要があるので、手順が煩雑となり、利用者によっては画面を調整することが困難な場合がある。
【０００７】
なお、上記特許文献１には、所定の表示形式以外の映像信号が入力端子に入力された場合に、利用者に画面を手動調整させる表示装置の構成については、開示も示唆もされていない。
【０００８】
本発明は、上述した課題を解決するものであって、その目的とするところは、所定の表示形式以外の映像信号が入力端子に入力された場合に、利用者が容易に画面を調整することが可能な表示装置を提供することである。
【課題を解決するための手段】
【０００９】
本発明の表示装置は、映像信号が入力される入力端子と、入力端子に入力される映像信号に基づいて映像を表示する表示部と、を備えた表示装置であって、所定の表示形式の映像信号が入力端子に入力された場合に、画面を自動調整するように構成され、所定の表示形式以外の映像信号が入力端子に入力された場合に、利用者に画面を調整させるための設定画面を表示部に表示させる。
【００１０】
このように構成することによって、所定の表示形式以外の映像信号が入力端子に入力された場合に、設定画面が表示部に表示されることにより、利用者が設定画面を表示させる手間を省くことができるので、利用者が容易に画面を調整することができる。
【００１１】
上記表示装置において、所定の表示形式以外の映像信号が入力端子に入力された場合に、利用者が画面を手動調整することが必要である旨を示す警告画面を表示部に表示させるようにしてもよい。
【００１２】
このように構成すれば、画面を手動調整することが必要であることを利用者に知らせることができる。
【発明の効果】
【００１３】
本発明によれば、所定の表示形式以外の映像信号が入力端子に入力された場合に、利用者が容易に画面を調整することが可能な表示装置を提供することができる。
【図面の簡単な説明】
【００１４】
【図１】本発明の一実施形態による液晶テレビの全体構成を示した斜視図である。
【図２】図１の液晶テレビの全体構成を示したブロック図である。
【図３】所定の表示形式の映像信号の一例を示した図である。
【図４】図１の液晶テレビにＰＣ入力設定画面が表示された状態を示した図である。
【発明を実施するための形態】
【００１５】
以下、本発明の実施形態について、図面を参照しながら説明する。なお、以下の実施形態では、表示装置の一例である液晶テレビジョン受像機（以下、「液晶テレビ」という）に本発明を適用した場合について説明する。
【００１６】
まず、図１および図２を参照して、本発明の一実施形態による液晶テレビ１００の構成について説明する。
【００１７】
本実施形態による液晶テレビ１００は、図１に示すように、テレビジョン放送を受信して表示するテレビ本体１と、テレビ本体１を遠隔操作するリモコン２とを備えている。テレビ本体１には、ケーブル２０１を介して外部機器としてのパーソナルコンピュータ（以下、「ＰＣ」という）２００が接続されており、テレビ本体１は、ＰＣ２００から出力される映像信号に基づいて映像を表示することが可能なように構成されている。
【００１８】
テレビ本体１は、図２に示すように、チューナ１１と、信号処理部１２と、ＯＳＤ（On-Screen Display）部１３と、合成部１４と、表示部１５と、ＶＧＡ（Video Graphics Array）端子１６と、受信部１７と、制御部１８とを含んでおり、これらはバス１ａを介して接続されている。なお、ＶＧＡ端子１６は、本発明の「入力端子」の一例である。
【００１９】
チューナ１１は、アンテナ（図示省略）が受信したテレビジョン放送のチャンネルを選択するとともに、選択されたチャンネルの映像信号を信号処理部１２に出力する。信号処理部１２は、デコーダなどを含み、チューナ１１から入力された映像信号に対して所定の処理を施し、所定の処理が施された映像信号を合成部１４に出力する。なお、図２では、音声系統のブロックの図示を省略してある。
【００２０】
ＯＳＤ部１３は、ＯＳＤ信号を生成するとともに、生成したＯＳＤ信号を合成部１４に出力する。合成部１４は、信号処理部１２から入力された映像信号に、ＯＳＤ部１３から入力されたＯＳＤ信号を重畳して表示部１５に出力する。表示部１５は、液晶パネルやパネル駆動回路などを含み、合成部１４から入力された信号に基づいて映像を表示する。表示部１５におけるパネル解像度は、たとえば、１３６６×７６８である。
【００２１】
ＶＧＡ端子１６には、ケーブル２０１（図１参照）を介してＰＣ２００が接続されており、アナログＲＧＢ映像信号が入力される。受信部１７は、フォトダイオードなどを含み、リモコン２から出力されるリモコン信号を受信する。
【００２２】
制御部１８は、ＣＰＵ１８ａと、ＲＯＭ１８ｂと、ＲＡＭ１８ｃとを有する。ＣＰＵ１８ａは、テレビ本体１の動作を制御する。ＲＯＭ１８ｂは、書き換え可能な不揮発性のメモリであり、たとえば、フラッシュメモリである。ＲＯＭ１８ｂは、テレビ本体１の動作を制御するためのプログラムや、各種設定項目の設定値などを記憶する。ＲＡＭ１８ｃは、たとえば、ＤＲＡＭであり、プログラムが実行される際のデータなどを一時的に記憶する。
【００２３】
液晶テレビ１００では、ＰＣ２００から複数種類の表示形式（解像度、水平周波数、および垂直周波数）の映像信号が入力され得る。このため、液晶テレビ１００は、所定の表示形式の映像信号がＶＧＡ端子１６に入力された場合に、画面を自動調整するように構成されている。具体的には、画面の水平位置と垂直位置、クロック周波数、および、クロック位相が自動調整される。
【００２４】
なお、所定の表示形式の映像信号とは、液晶テレビ１００において予め設定された自動調整可能な表示形式の映像信号である。所定の表示形式の映像信号は、たとえば、図３に示すように、解像度が６４０×４８０であり、水平周波数が３１．５（ｋＨｚ）であり、垂直周波数が６０（ｋＨｚ）である映像信号と、解像度が８００×６００であり、水平周波数が３７．９（ｋＨｚ）であり、垂直周波数が６０（ｋＨｚ）である映像信号と、解像度が１０２４×７６８であり、水平周波数が４８．４（ｋＨｚ）であり、垂直周波数が６０（ｋＨｚ）である映像信号と、解像度が１２８０×７６８であり、水平周波数が４７．４（ｋＨｚ）であり、垂直周波数が６０（ｋＨｚ）である映像信号と、解像度が１３６０×７６８であり、水平周波数が４７．７（ｋＨｚ）であり、垂直周波数が６０（ｋＨｚ）である映像信号とを含む。
【００２５】
次に、図１〜図４を参照して、本実施形態による液晶テレビ１００に所定の表示形式以外の映像信号が入力された場合の動作について説明する。なお、所定の表示形式以外の映像信号とは、液晶テレビ１００において予め設定されておらず、自動調整することができない表示形式の映像信号であり、たとえば、解像度が８００×６００であり、水平周波数が４８．１（ｋＨｚ）であり、垂直周波数が７２（ｋＨｚ）である映像信号である。
【００２６】
液晶テレビ１００のＶＧＡ端子１６に所定の表示形式以外の映像信号が入力された場合には、図４に示すように、ＰＣ２００（図１参照）から入力された画面Ｗ１が表示部１５に表示されるとともに、ＯＳＤ部１３（図２参照）により、警告画面Ｗ２とＰＣ入力設定画面Ｗ３とが表示部１５に表示される。警告画面Ｗ２は、利用者が画面Ｗ１を手動調整することが必要である旨を示す画面であり、ＰＣ入力設定画面Ｗ３は、利用者に画面Ｗ１を調整させるための画面である。なお、表示部１５の端部には、表示部１５がＰＣ入力を表示していることを示す画面Ｗ４が表示される。
【００２７】
ＰＣ入力設定画面Ｗ３には、「水平位置」、「垂直位置」、「クロック周波数」、および、「クロック位相」の項目が含まれており、カーソルＣにより項目が選択される。そして、利用者がリモコン２（図１参照）を操作することにより、各項目の数値が調整される。そして、各項目が調整された後、警告画面Ｗ２およびＰＣ入力設定画面Ｗ３が閉じることにより、表示部１５には、位置等が調整された画面Ｗ１のみが表示される。
【００２８】
なお、「水平位置」の項目は、画面Ｗ１のＸ方向における位置を調整するための項目であり、画面Ｗ１が右寄りまたは左寄りの状態である場合に調整される。また、「垂直位置」の項目は、画面Ｗ１のＹ方向における位置を調整するための項目であり、画面Ｗ１が上寄りまたは下寄りの状態である場合に調整される。また、「クロック周波数」の項目は、縦縞状のちらつきが発生する場合に調整される。また、「クロック位相」の項目は、横縞状のちらつきが発生する場合に調整される。
【００２９】
本実施形態では、上記のように、ＰＣ２００から所定の表示形式以外の映像信号が入力された場合に、ＰＣ入力設定画面Ｗ３を表示部１５に表示することによって、利用者がＰＣ入力設定画面Ｗ３を表示させる手間を省くことができるので、利用者が容易に画面Ｗ１の位置やちらつきを調整することができる。
【００３０】
また、本実施形態では、ＰＣ２００から所定の表示形式以外の映像信号が入力された場合に、警告画面Ｗ２を表示部１５に表示することによって、画面Ｗ１を手動調整することが必要であることを利用者に知らせることができる。これにより、利用者が画面Ｗ１を手動調整することを促すことができる。
【００３１】
本発明は、上述した以外にも種々の実施形態を採用することができる。たとえば、上記実施形態では、液晶テレビ１００に本発明を適用する例を示したが、これに限らず、プラズマディスプレイなどのその他の表示装置に本発明を適用してもよい。
【００３２】
また、上記実施形態では、所定の表示形式の映像信号として５種類の映像信号（図３）を示したが、これらは例示であって、所定の表示形式の映像信号は、液晶テレビ毎に設定されている。すなわち、６種類以上の映像信号が所定の表示形式の映像信号として設定されていてもよいし、４種類以下の映像信号が所定の表示形式の映像信号として設定されていてもよい。
【００３３】
また、上記実施形態では、入力端子の一例としてＶＧＡ端子１６を示したが、これに限らず、入力端子としてＤＶＩ（Digital Visual Interface）端子を用いてもよい。
【００３４】
また、上記実施形態では、表示部１５のパネル解像度が１３６６×７６８である例を示したが、これに限らず、たとえば、表示部１５のパネル解像度が１９２０×１０８０であってもよい。
【００３５】
また、上記実施形態において、利用者がリモコン２を操作することにより、任意の時点でＰＣ入力設定画面Ｗ３が表示部１５に表示されるようにしてもよい。
【符号の説明】
【００３６】
１５    表示部
１６    ＶＧＡ端子（入力端子）
１００  液晶テレビ（表示装置）
Ｗ３    ＰＣ入力設定画面
【図１】
2010186044.tif 000003
【図２】
2010186044.tif 000004
【図３】
2010186044.tif 000005
【図４】
2010186044.tif 000006